(57)【要約】【課題】表示品質を向上させたバックライトアセンブリを有する直下型液晶表示装置を提供する。【解決手段】バックライトアセンブリ３００は一つ以上のランプ３１０から発生した第１光Ｌ１を拡散する拡散層３３１と、拡散層３３１の一面から突出され第１光の経路を変更する光経路変更層３３３からなった光拡散部材３３０を備えて、第１光を均一の輝度分布を有する第２光Ｌ２として射出する。ここで、光経路変更層３３３は拡散層３３１の入射面３３１ａに形成されることができ、入射面３３１ａから第１角で傾いた第１光経路変更面、第２角で傾いた第２光経路変更面を有する一つ以上の突出部を備える。したがって、バックライトアセンブリ３００の輝度均一性を確保することができ、さらに直下型液晶表示装置１０００の表示品質を向上させることができる。【選択図】　　　図７
2004031312.tif 000002
【特許請求の範囲】
【請求項１】
第１光を発生するための一つ以上のランプと；前記第１光を拡散する拡散層と、前記拡散層の一面から突出し、前記第１光の経路を変更する光経路変更層を備え、前記第１光を均一な輝度分布を有する第２光として射出するための光拡散部材と：
を含むことを特徴とするバックライトアセンブリ。
【請求項２】
前記光経路変更層は前記拡散層の入射面から第１角で傾斜した第１光経路変更面と、前記入射面から第２角で傾斜した第２光経路変更面を有する一つ以上の突出部を備えることを特徴とする請求項１に記載のバックライトアセンブリ。
【請求項３】
前記一つ以上の突出部は、複数の突出部を含み、前記複数の突出部は前記光拡散部材の入射面に全面的に形成され、前記突出部各々は同一の形状を有することを特徴とする請求項２に記載のバックライトアセンブリ。
【請求項４】
前記突出部各々は前記ランプの長さ方向に延びた三角プリズム形状を有することを特徴とする請求項２に記載のバックライトアセンブリ。
【請求項５】
前記第１光経路変更面と第２光経路変更面からなる内角は８０°以上１２０°以下である範囲内に存在することを特徴とする請求項２に記載のバックライトアセンブリ。
【請求項６】
前記第１光経路変更面と第２光経路変更面からなる内角は９０°であることを特徴とする請求項５に記載のバックライトアセンブリ。
【請求項７】
前記光拡散部材の入射面は、前記ランプが配置された領域と対応する第１領域と、前記ランプとランプとの間の領域と対応する第２領域に区分され、前記一つ以上の突出部は前記第１領域に形成されることを特徴とする請求項２に記載のバックライトアセンブリ。
【請求項８】
前記一つ以上の突出部は複数の突出部を含み、前記複数の突出部は前記ランプの長さ方向に延びた三角プリズム形状を有し、前記突出部各々は同一の形状で形成されたことを特徴とする請求項７に記載のバックライトアセンブリ。
【請求項９】
前記突出部各々のサイズは、前記第１領域の中心から前記第２領域に近接するほど大きくなることを特徴とする請求項７に記載のバックライトアセンブリ。
【請求項１０】
前記第１光経路変更面と前記第２光経路変更面とがなす内角は８０°以上１８０°未満である範囲内に存在することを特徴とする請求項７に記載のバックライトアセンブリ。
【請求項１１】
前記内角は前記第１領域の中心から前記第２領域に近接するほど大きくなることを特徴とする請求項１０に記載のバックライトアセンブリ。
【請求項１２】
前記光経路変更層は、前記拡散層に一体に形成されることを特徴とする請求項１に記載のバックライトアセンブリ。
【請求項１３】
前記光経路変更層と前記拡散層は、アクリル系樹脂からなることを特徴とする請求項１に記載のバックライトアセンブリ。
【請求項１４】
第１光を発生するための一つ以上のランプと；
前記第１光を拡散する拡散層と、前記拡散層の一面から突出し、前記第１光の経路を変更する光経路変更層を備え、前記第１光を均一な輝度分布を有する第２光として射出するための光拡散部材と；
前記光拡散部材上に配置され、前記第２光の提供を受けて液晶により映像を表示するための液晶表示パネルと；
を含むことを特徴とする直下型液晶表示装置。
【請求項１５】
前記光経路変更層は前記拡散層の入射面から第１角で傾いた第１光経路変更面と、前記入射面から第２角で傾いた第２光経路変更面を有する一つ以上の突出部を備えることを特徴とする請求項１４に記載の直下型液晶表示装置。
【請求項１６】
前記光経路変更層は、前記拡散層の射出面から第１角で傾いた第１光経路変更面と、前記射出面から第２角で傾いた第２光経路変更面を有する一つ以上の突出部を備えることを特徴とする請求項１４に記載の直下型液晶表示装置。
【請求項１７】
前記一つ以上の突出部の幅は０．６３５ｍｍ以下であることを特徴とする請求項１６に記載の直下型液晶表示装置。
【請求項１８】
前記一つ以上の突出部は、前記第１光経路変更面と前記第２光経路変更面とが接して形成される頂角部を含むことを特徴とする請求項１６に記載の直下型液晶表示装置。
【請求項１９】
前記頂角部はラウンディングされたことを特徴とする請求項１８に記載の直下型液晶表示装置。
【請求項２０】
前記液晶表示装置は、
前記ランプの両端部と締結され前記ランプを指定された位置に固定させ、かつ前記光拡散部材が定着される第１収納容器と、
基底面と前記基底面から延びた側壁からなって第１収納容器を収納する第２収納容器と、
前記光拡散部材上に配置され、該光拡散部材を前記第１収納容器側に加圧し、かつ前記液晶表示パネルを支持する第３収納容器と、
前記第２収納容器と結合して前記液晶表示パネルを前記第３収納容器側に加圧する第４収納容器と、
をさらに含むことを特徴とする請求項１４に記載の直下型液晶表示装置。
【発明の詳細な説明】
【０００１】
【発明の属する技術分野】
本発明はバックライトアセンブリ及びこれを有する直下型液晶表示装置に関するものであり、より詳細には、表示品質を向上させながら高輝度を確保することができるバックライトアセンブリ及びこれを有する直下型液晶表示装置に関するものである。
【０００２】
【従来の技術】
最近、情報処理機器は多様な形態、多様な機能、より高速の情報処理速度を有するように急速に発展している。このような情報処理装置で処理される情報は電気信号の形態を有する。使用者が情報処理装置で処理された情報を目で確認するためにはインターフェース機能を有するディスプレー装置を必要とする。
【０００３】
最近、ＣＲＴ方式のディスプレー装置に比べて、軽量、小型でありながら、フル−カラー、高解像度化などの機能を有する液晶表示装置が広く使用されることになった。液晶表示装置は液晶セルの光学的性質の変化を視覚変化に変換するディスプレー装置である。液晶表示装置の表示パネルは自発的には発光しないので、液晶表示パネルの後面に付着されたバックライトアセンブリから光の供給を受けて画像を表示する。
【０００４】
前記バックライトアセンブリは、光源の位置により直下型（ｄｉｒｅｃｔ　ｔｙｐｅ）とエッジ型（ｅｄｇｅ　ｔｙｐｅ）に区分される。直下型は液晶表示パネルのすぐ下の部分に光源を置いてパネルの全面を直接照射する方式として、エッジ型と比較して複数個の光源を利用することができるので、高輝度を確保することができるという長所を有する。
【０００５】
図１は一般的な直下型液晶表示装置を示す断面図である。
【０００６】
図１に示すように、一般的な直下型液晶表示装置１００は映像を表示するための液晶表示パネルアセンブリ１１０、前記液晶表示パネルアセンブリ１１０に光を提供するためのバックライトアセンブリ１２０とを含む。
【０００７】
前記バックライトアセンブリ１２０は第１光を発生する一つ以上のランプ１２１と、前記第１光を反射させるためのランプ反射板１２２と、前記第１光を拡散させて均一な輝度分布を有する第２光を射出させるための拡散板１２３とを備える。ここで、ランプ１２１と、ランプ反射板１２２と、拡散板１２３は収納容器に収納される。
【０００８】
ここで、前記収納容器はボトムモールドフレーム１２４とボトムシャーシ１２５からなる。前記ボトムモールドフレーム１２４とボトムシャーシ１２５はフックにより確実に結合されている。具体的には、前記ボトムモールドフレーム１２４は中央の開いた四角形状に形成され、前記ランプ１２１の長さ方向と平行の側壁面は所定の角度に傾いている。また、前記側壁面の上端には前記拡散板１２３が定着される端ジョーが形成されている。一方、前記ボトムシャーシ１２５は上部面が開口した直六面体のボックス形態に形成される。前記ボトムシャーシ１２５の内部には所定の深さの収納空間が形成され、前記収納空間には前記ランプ反射板１２２が設けられ、前記ランプ反射板１２２の上部には前記ランプ１２１が配置される。
【０００９】
この時、前記第１光の一部は前記拡散板１２３に入射し、その他の一部は前記ランプ反射板１２２を通じて前記拡散板１２３に向け反射される。前記第１光は拡散板１２３により拡散され、広い範囲の角度を有する第２光として射出される。
【００１０】
しかし、このような構造を有する直下型液晶表示装置１００は不均一な輝度分布を有する。即ち、図１に図示された輝度分布曲線１５０に示すように、前記ランプ１２１の発光領域と対応する第１領域（Ａ）はランプとランプとの間の領域と対応する第２領域（Ｂ）に比べて相対的に高い輝度を有する。このような不均一な輝度分布は、前記直下型液晶表示装置１００の表示品質を低下させる要因として作用する。
【００１１】
このような問題点を解決するために、従来には図２に示したような構造が提示されたことがある。
【００１２】
図２は、光散乱パターンが形成された拡散板を有する従来の直下型液晶表示装置を示す断面図である。
【００１３】
図２に示すように、従来の直下型液晶表示装置１６０は背面に光散乱パターン１２３ａが形成された拡散板１２３を備える。前記光散乱パターン１２３ａはランプ１２１から提供される第１光を散乱させる。具体的には、前記光散乱パターン１２３ａは前記第１領域Ａに対応する拡散板１２３の背面に形成され、前記第１領域Ａに入射される前記第１光を散乱させる。このようにして、前記拡散板１２３により拡散された後に前記第１領域Ａに対応する部分から射出される前記第２光の量が前記第２領域Ｂに対応する部分から射出される前記第２光の量程度に減少される。したがって、前記第１領域Ａと前記第２領域Ｂに対応する部分から射出される前記第２光の輝度差異が最少化される。これにより、直下型液晶表示装置１６０は全体的に均一な輝度分布を有する。
【００１４】
しかし、前記光散乱パターン１２３ａは、所定の時間が経過した後に、前記ランプ１２１から発生される紫外線や熱等により容易に変色を受ける。このように変色した前記光散乱パターン１２３ａは前記直下型液晶表示装置１６０の画面にそのままに投影される。したがって、直下型液晶表示装置１６０の表示品質を低下させる問題が発生する。
【００１５】
また、前記光散乱パターン１２３ａはランプ１２１から発生した前記第１光をある程度遮断する構造であるために、前記直下型液晶表示装置１６０の全体的な輝度を減少させる。
【００１６】
【発明が解決しようとする課題】
本発明の目的は、表示品質を向上させながら高輝度を確保することができるバックライトアセンブリを提供することにある。
【００１７】
本発明他の目的は、バックライトアセンブリを有する直下型液晶表示装置を提供することにある。
【００１８】
【課題を解決するための手段】
上述した目的を達成するための本発明によるバックライトアセンブリは、第１光を発生するための一つ以上のランプと；前記第１光を拡散する拡散層と、前記拡散層の一面から突出し、前記第１光の経路を変更する光経路変更層を備え、前記第１光を均一な輝度分布を有する第２光として射出するための光拡散部材と；を含む。
【００１９】
ここで、前記光経路変更層は前記拡散層の入射面から第１角で傾いた第１光経路変更面と、前記入射面から第２角で傾いた第２光経路変更面を有する一つ以上の突出部を備える形態とすることができる。
【００２０】
他の形態として、前記光経路変更層は、前記拡散層の射出面から第１角で傾いた第１光経路変更面と、前記射出面から第２角で傾いた第２光経路変更面を有する一つ以上の突出部を備えるようにすることができる。
【００２１】
また上述した目的を達成するための本発明による直下型液晶表示装置は、第１光を発生するための一つ以上のランプと；前記第１光を拡散する拡散層と、前記拡散層の一面から突出し、前記第１光の経路を変更する光経路変更層を備え、前記第１光を均一な輝度分布を有する第２光として射出するための光拡散部材と；前記ランプと光拡散部材を収納するための第１収納容器と；第２光の提供を受けて液晶により映像を表示するための液晶表示パネルと；第１収納容器と結合して前記液晶表示パネルを前記第１収納容器に固定するための第２収納容器とを含む。
【００２２】
このような、バックライトアセンブリ及びこれを有する直下型液晶表示装置においては、光拡散部材は第１光を拡散する拡散層と、拡散層の一面から突出し第１光の経路を変更する光経路変更層からなる。ここで、光経路変更層は拡散層の入射面または射出面に形成されることができ、入射面または射出面から第１角で傾いた第１光経路変更面と、第２角で傾いた第２光経路変更面を有する一つ以上の突出部を備えるようにすることができる。したがって、バックライトアセンブリの輝度均一性を確保することができ、直下型液晶表示装置の表示品質を向上させることができる。
【００２３】
【発明の実施の形態】
以下、図面を参照して本発明の望ましい一実施形態をより詳細に説明する。
【００２４】
図３は本発明の第１実施形態による直下型液晶表示装置を具体的に示した分解斜視図であり、図４は図３に示した直下型液晶表示装置の断面図である。
【００２５】
図３及び図４に示すように、本発明の第１実施形態による直下型液晶表示装置１０００は映像を表示するための液晶表示パネルアセンブリ２００と、前記液晶表示パネルアセンブリ２００に光を提供するためのバックライトアセンブリ３００とを含む。
【００２６】
前記液晶表示パネルアセンブリ２００は液晶表示パネル２１０、データ印刷回路基板２２０、ゲート印刷回路基板２３０、データ側ＴＣＰ２４０及びゲート側ＴＣＰ２５０により構成される。前記液晶表示パネル２１０は画面を具現し、ＴＦＴ基板２１１、前記ＴＦＴ基板２１１と向き合うカラーフィルタ基板２１３及び前記ＴＦＴ基板２１１とカラーフィルタ基板２１３との間に注入された液晶（図示せず）からなる。
【００２７】
ここで、前記ＴＦＴ基板２１１はスイッチング素子であるＴＦＴ（図示せず）がマトリックス状に形成された透明なガラス基板である。前記ＴＦＴのソース及びゲート端子には各々データ及びゲートラインが連結され、ドレーン端子に透明な導電性材質であるインジウムティンオキサイド（ＩＴＯ）より成る画素電極を用いて形成される。前記カラーフィルタ基板２１３は通過される光により所定の色に発現される色画素であるＲＧＢ画素が薄膜工程により形成された基板である。前記カラーフィルタ基板２１３の前面にはＩＴＯから成る共通電極が塗布されている。
【００２８】
前記液晶表示パネル２１０に形成されている前記データラインは、前記データ側ＴＣＰ２４０を通じて前記データ印刷回路基板２２０と電気的に連結され、前記ゲートラインは前記ゲート側ＴＣＰ２５０を通じて前記ゲート印刷回路基板２３０と電気的に連結される。したがって、外部から電気信号を受信した前記データ及びゲート印刷回路基板２２０、２３０は、前記液晶表示パネルアセンブリ２００の駆動及び駆動時期を制御するための駆動信号及びタイミング信号を前記データ側及びゲート側ＴＣＰ２４０、２５０を通じて、前記ゲートライン及びデータラインに各々転送する。
【００２９】
一方、前記バックライトアセンブリ３００は第１光Ｌ１を発生する一つ以上のランプ３１０と、前記第１光Ｌ１を拡散させて均一な輝度分布を有する第２光Ｌ２を射出させるための拡散板３３０と、前記第１光を前記拡散板３３０に向け反射させるためのランプ反射板３２０からなる。
【００３０】
前記ランプ３１０と、ランプ反射板３２０と、拡散板３３０は収納容器に収納される。
【００３１】
ここで、前記収納容器はボトムモールドフレーム３４０とボトムシャーシ３５０からなる。前記ボトムモールドフレーム３４０とボトムシャーシ３５０はフックにより確実に結合されている。前記ボトムシャーシ３５０は基底面と前記基底面から延びた側壁からなり、上部面が開口された直六面体のボックス形態に形成される。前記ボトムシャーシ３５０の内部には所定深さの収納空間が形成され、前記収納空間にはランプ反射板３２０が設けられ、前記ランプ反射板３２０の上部にはランプ３１０が一列に配置される。
【００３２】
一方、前記ボトムモールドフレーム３４０は中央の開いた四角形状に形成され、前記ランプ３１０の長さ方向と平行である側壁面は所定の角度で傾いている。また、前記側壁面の上端には前記拡散板３３０が定着される端ジョーが形成されている。
【００３３】
図面に図示しなかったが、前記ボトムモールドフレーム３４０の側壁面のうちの前記ランプ３１０の両端部と向き合う側壁面には前記ランプ３１０の両端部と締結されるための固定部が用意されている。したがって、前記ボトムモールドフレーム３４０は前記ランプ３１０を指定された位置に固定する。
【００３４】
ここで、前記ランプ反射板３２０上に８個のランプ３１０が備えられた８燈式直下型液晶表示装置１０００を示したが、前記ランプ３１０の個数はこれに限定されずに、多様に変更されることができる。
【００３５】
ここで、前記第１光Ｌ１の一部は、前記拡散板３３０に入射され、その他一部は前記ランプ反射板３２０を通じて前記拡散板３３０側に反射される。
【００３６】
前記拡散板３３０は拡散層３３１と光経路変更層３３３を備えて、前記第１光Ｌ１を広い範囲の角度を有する第２光Ｌ２として射出する。具体的には、前記拡散層３３１は前記第１光Ｌ１を拡散する層であり、前記光経路変更層３３３は前記拡散層３３１の一面からプリズム形状に突出された複数の突出部３３３ｃを備えて前記第１光Ｌ１の経路を変更する。
【００３７】
したがって、図４に示した輝度分布曲線６００に示したように、前記直下型液晶表示装置１０００は前記拡散板３３０により均一な輝度分布を有する。前記拡散板３３０について、以後の図面を参照して具体的に説明する。
【００３８】
前記ボトムシャーシ３５０に前記ランプ反射板３２０と、ランプ３１０と、拡散板３３０が順に収納されると、その上へアッパーモールドフレーム４００が配置される。前記アッパーモールドフレーム４００は前記拡散板３３０の周辺部を加圧して前記拡散板３３０を前記ボトムモールドフレーム３４０に固定させる。即ち、前記アッパーモールドフレーム４００はボトムモールドフレーム３４０の内側壁よりも内方に延びる定着面が形成された中央の開いた四角形状を有する。ここで、前記アッパーモールドフレーム４００は前記拡散板３３０の周辺部と面同士で接して、前記拡散板３３０を前記ボトムシャーシ３５０側に加圧する。また、前記アッパーモールドフレーム４００上には前記液晶表示パネル２１０が定着される。
【００３９】
また、前記液晶表示パネル２１０の上部には、上／下面が開口された四角形状を有するトップシャーシ５００が提供される。前記トップシャーシ５００は前記ボトムシャーシ３５０と結合して前記液晶表示パネル２１０が移動しないように固定させる。図示しなかったが、前記トップシャーシ５００と前記ボトムシャーシ３５０はフックまたはスクリュー結合されることができる。前記トップシャーシ５００とボトムシャーシ３５０の結合構造は、一般に使用される結合方式が適用されるために、それに関する具体的な説明は省略する。
【００４０】
図５は図３に示した拡散板を具体的に示した斜視図であり、図６は図５に示した拡散板を拡大した断面図である。
【００４１】
図５及び図６に示すように、前記拡散板３３０は拡散層３３１と、前記拡散層３３１の一面から突出された光経路変更層３３３からなる。前記拡散層３３１は光が入射される入射面３３１ａと、光を射出する射出面３３１ｂと、前記入射面３３１ａと射出面３３１ｂを連結する側面３３１ｃからなる。ここで、前記光経路変更層３３３は前記拡散層３３１の入射面３３１ａ上に形成される。
【００４２】
前記光経路変更層３３３は前記拡散層３３１の入射面３３１ａから第１角α１で傾いた第１光経路変更面３３３ａと、前記入射面３３１ａから第２角α２で傾いて、前記第１光経路変更面３３３ａと線接触する第２光経路変更面３３３ｂを有する一つ以上の突出部３３３ｃを備える。ここで、前記第１角α１と第２角α２が同一であることが望ましい。
【００４３】
図５に示したように、前記突出部３３３ｃは前記ランプ３１０の長さ方向と平行の方向に長く延びた三角プリズム形状を有する。ここで、前記突出部３３３ｃは前記拡散層３３１の入射面３３１ａに全面的に形成され、各々は全面にわたって同一の形状を有する。
【００４４】
図面に図示しなかったが、前記光経路変更層はドット形状に形成された複数の突出部を備えることができる。前記突出部は前記拡散層から所定の角度で傾いて形成された複数の光経路変更面を備える三角錐、四角錐または円錐のような形状に形成されることができる。
【００４５】
前記突出部３３３ｃは前記第１光経路変更面３３３ａと前記第２光経路変更面３３３ｂにより形成される一つの頂角部を有し、前記第１光経路変更面３３３ａと第２光経路変更面３３３ｂからなる内角α３は８０°以上１２０°以下である範囲内に存在する。さらに望ましくは、前記内角α３は９０°である。前記内角が９０°になると、前記第１光経路変更面３３３ａが前記入射面３３１ａに対して４５°に傾いて、前記第２光経路変更面３３３ｂは前記入射面３３１ａに対して４５°に傾く。
【００４６】
ここで、前記拡散層３３１と前記光経路変更層３３３は一体に形成されることが望ましく、各々はアクリル系樹脂からなる。
【００４７】
図７は、図６に示した拡散板の光経路変更過程を示す図面である。
【００４８】
図７に示すように、前記ランプ３１０から射出された前記第１光Ｌ１は、前記拡散板３３０に入射される。この時、前記ランプ３１０と前記拡散板３３０は所定の距離に離隔されているために、前記拡散板３３０と前記ランプ３１０との間には空気層が存在する。したがって、前記拡散板３３０に入射された前記第１光Ｌ１は空気層と前記拡散板３３０との間の屈折率差異により、前記拡散板３３０で所定の角度に屈折し射出され、または反射される。
【００４９】
ここで、前記拡散板３３０はアクリル系樹脂からなるために、臨界角は約４２．１２°になる。したがって、前記拡散板３３０に入射される前記第１光Ｌ１のうちの入射角が前記臨界角より大きい光は、所定の角度で反射され、前記臨界角より小さい光は所定の角度で屈折される。
【００５０】
理解の便宜のために、前記ランプ３１０から発生された前記第１光Ｌ１が前記拡散層３３１に直接入射されるようにした構造と、前記光経路変更層３３３に入射されるようにした構造を比較して説明する。図７で、破線は前記拡散板３３０が前記光経路変更層３３３なしに前記拡散層３３１のみを備えると仮定した構造での前記第１光Ｌ１の経路を示したものであり、実線は前記拡散板３３０が前記拡散層３３１と光経路変更層３３３を備える構造での前記第１光Ｌ１の経路を示したものである。この時、前記拡散層３３１の入射面３３１ａは、高い輝度を有する第１領域Ａと、第１領域Ａより低い輝度を有する第２領域Ｂに区分される。
【００５１】
まず、前記ランプ３１０から発生された第１光Ｌ１が前記拡散層３３１に入射されるとした構造を説明する。
【００５２】
前記第１光Ｌ１は前記ランプ３１０から放射状に射出されるために、前記ランプ３１０と対応する第１領域Ａから遠ざかるほど、前記第１光Ｌ１と拡散層３３１の入射面３３１ａとがなす傾斜角が段々小さくなる。即ち、前記第１領域Ａから遠ざかるほど、入射面３３１ａに対する入射角が大きくなる。前述したように、前記入射角が前記臨界角より大きくなると、前記第１光Ｌ１は前記入射面３３１ａで反射される。
【００５３】
このような原理によると、前記第１領域Ａでは前記第１光Ｌ１の入射角が前記臨界角より小さいので、前記第１光Ｌ１が屈折して射出される比率が高い。一方、前記第２領域Ｂに行くほど前記第１光Ｌ１の入射角が前記臨界角より大きくなるために、前記第１光Ｌ１が反射される比率が高くなる。ここで、前記第１領域Ａでの輝度は元々前記第２領域Ｂでの輝度より相対的に高いにもかかわらず、前記入射面３３１ａが平坦な表面構造に形成されると、前記第１領域Ａと第２領域Ｂとの間で発生される輝度差がさらに激しくなる。
【００５４】
前記ランプ３１０から発生された前記第１光Ｌ１が前記光経路変更層３３３に入射されるようにした場合の構造を説明する。
【００５５】
前記光経路変更層３３３は、前記拡散層３３１の入射面３３１ａに対して所定の角度で傾いた第１及び第２光経路変更面３３３ａ、３３３ｂからなった複数の突出部３３３ｃを有する。望ましく、前記第１及び第２光経路変更面３３３ａ、３３３ｂは、前記入射面３３１ａに対して４５°角度に傾いている。
【００５６】
このような、前記光経路変更層３３３の構造は前記第１領域Ａに入射された前記第１光Ｌ１が反射される比率を増加させ、前記第２領域Ｂに入射された前記第１光Ｌ１が反射される比率を減少させる。また、前記第１領域Ａに入射された前記第１光Ｌ１のうちの一部を前記第２領域Ｂに進行するように誘導して、前記第２領域Ｂでの輝度を補償する。これにより、前記第１領域Ａと第２領域Ｂとの間で発生される輝度差を緩和させることができる。
【００５７】
図８は本発明の第２実施形態による直下型液晶表示装置の断面図であり、図９は図８に示した拡散板を拡大した断面図である。
【００５８】
図８及び図９に示すように、本発明の第２実施形態による拡散板３６０は、前記第１光Ｌ１を拡散する拡散層３６１と、前記拡散層３６１の一面から突出され、前記第１光Ｌ１の経路を変更する光経路変更層３６３からなって、均一の輝度分布を有する第２光Ｌ２を射出する。
【００５９】
前記拡散層３６１は光が入射される入射面３６１ａと、光を射出する射出面３６１ｂと、前記入射面３６１ａと射出面３６１ｂを連結する側面３６１ｃからなる。この時、前記拡散層３６１の入射面３６１ａは、高い輝度を有する第１領域Ａと、第１領域Ａより低い輝度を有する第２領域Ｂに区分される。
【００６０】
前記光経路変更層３６３は前記第１光Ｌ１が入射される前記拡散層３６１の入射面３６１ａ上に形成される。さらに詳細に、前記光経路変更層３６３は前記拡散層３６１の入射面３６１ａのうち、前記第１領域Ａと対応する領域に形成される。前記光経路変更層３６３は前記入射面３６１ａから第１角α１で傾いた第１光経路変更面３６３ａと、前記入射面３６１ａから第２角α２で傾いて、前記第１光経路変更面３６３ａと線接触する第２光経路変更面３６３ｂを有する一つ以上の突出部３６３ｃを備える。
【００６１】
したがって、前記第１領域Ａに形成された前記突出部３６３ｃは前記ランプ３１０から発生された前記第１光Ｌ１が前記第２領域Ｂに進行するように、前記第１光Ｌ１の経路を変更する。したがって、前記第２領域での輝度を補償することにより、前記第１及び第２領域Ａ、Ｂ間で生じる輝度差を最少化することができる。
【００６２】
図１０は本発明の第３実施形態による直下型液晶表示装置の断面図であり、図１１は本発明の第４実施形態による直下型液晶表示装置の拡散板を拡大した断面図である。
【００６３】
図１０に示すように、拡散板３６０は拡散層３６１及び光経路変更層３６５を含む。前記拡散板３６０は第１光の提供を受けて前記第１光より拡張された視野角を有する第２光を射出する。前記拡散層３６１は前記１光を拡散し、前記光経路変更層３６５は前記拡散層３６１から突出され、第１光の経路を変更させる。
【００６４】
拡散層３６１は入射面３６１ａ、射出面３６１ｂ及び側面３６１ｃからなる。前記第１光は入射面３６１ａに入射され、第２光は前記射出面３６１ｂから射出される。入射面３６１ａと射出面３６１ｂは側面３６１ｃにより連結される。入射面３６１ａは第１領域Ａ及び第２領域Ｂを含み、前記第１領域Ａは前記第２領域Ｂより高い輝度を有する。
【００６５】
光経路変更層３６５は前記拡散層３６１の前記入射面３６１ａに配置される。前記光経路変更層３６５は複数の突出部３６５ｃを含み、複数の突出部３６５ｃ各々は第１光経路変更面３６５ａ及び第２光経路変更面３６５ｂからなる。複数の突出部３６５ｃは前記入射面３６１ａのうち、前記第１領域Ａに対応するように備えられる。前記光経路変更層３６５は前記第２領域Ｂではフラットな表面構造を有する。
【００６６】
図１１に示す第４実施形態では、拡散板３６０は拡散層３６１及び光経路変更層３６７を含む。前記光経路変更層３６７は前記拡散層３６１の入射面３６１ａに配置され、複数の突出部３６７ｃを備える。前記突出部３６７ｃ各々は第１光経路変更面３６７ａ及び第２光経路変更面３６７ｂからなる。複数の突出部３６７ｃ各々は前記拡散層３６１の入射面３６１ａのうち、前記第１領域Ａに対応するように備えられる。ここで、前記突出部３６７ｃ各々のサイズは第１領域Ａの中心から第２領域Ｂに向かうほど大きくなる。したがって、前記突出部３６７ｃは前記第１領域Ａの中心で最も小さいサイズを有する。
【００６７】
図１２は本発明の第５実施形態による直下型液晶表示装置の断面図であり、図１３は図１２に示した拡散板を拡大した断面図である。
【００６８】
図３、図１２及び図１３に示すように、直下型液晶表示装置１０００は映像を表示するための液晶表示パネルアセンブリ２００と、前記液晶表示パネルアセンブリ２００に光を提供するためのバックライトアセンブリ３００とを含む。前記バックライトアセンブリ３００は一つ以上のランプ３１０と、拡散板３７０と、ランプ反射板３２０からなる。
【００６９】
前記拡散板３７０は拡散層３７１と、光経路変更層３７３を備えて前記第１光Ｌ１を広い範囲の角度を有する第２光Ｌ２として射出する。前記拡散層３７１は前記第１光Ｌ１を拡散する層であり、前記光経路変更層３７３は前記拡散層３７１の一面から突出され、前記第１光Ｌ１の経路を変更する層である。
【００７０】
前記拡散層３７１は光が入射する入射面３７１ａと、光を射出する射出面３７１ｂと、前記入射面３７１ａと射出面３７１ｂを連結する側面３７１ｃからなる。前記拡散層３７１の入射面３７１ａは高い輝度を有する第１領域Ａと、前記第１領域Ａより低い輝度を有する第２領域Ｂに区分される。
【００７１】
ここで、前記光経路変更層３７３は前記拡散層３７１の入射面３７１ａのうち、前記第１領域Ａに対応するように備えられる。前記光経路変更層３７３は複数の突出部３７３ｃを備え、前記複数の突出部３７３ｃの各々は前記拡散層３７１の入射面３７１ａから第１角α１で傾いた第１光経路変更面３７３ａと、前記入射面３７１ａから第２角α２で傾いて、前記第１光経路変更面３７３ａと線接触する第２光経路変更面３７３ｂからなる。前記突出部３７３ｃの各々は前記ランプ３１０の長さ方向に延びた三角プリズム形状を有する。
【００７２】
前記複数の突出部各々のサイズは、前記第１領域の中心から前記第２領域に近接するほど増加される。前記複数の突出部３７３ｃ各々のサイズは、前記拡散層３７１からの高さが同一の状態で増加される。ここで、前記複数の突出部３７３ｃ各々のサイズとは、前記複数の突出部３７３ｃをランプ３１０の長さ方向と垂直の幅方向に切断した時に示される該垂直方向のサイズをいう。
【００７３】
図１３に示したように、前記複数の突出部３７３ｃ各々は前記第１光経路変更面３７３ａと前記第２光経路変更面３７３ｂにより画成される一つの頂角部を有する。前記第１光経路変更面３７３ａと第２光経路変更面３７３ｂからなる内角α３は前記第１領域Ａで最小であり前記第２領域Ｂに向かうほど大きくなる。
【００７４】
前記内角α３が段々大きくなるとは、前記第１光経路変更面３７３ａと前記入射面３７１ａからなる前記第１角α１と、前記第２光経路変更面３７３ｂと前記入射面３７１ａからなる第２角α２が段々小さくなることを意味する。このように、前記第１及び第２光経路変更面３７３ａ、３７３ｂの傾斜が緩やかになると、前記第１光Ｌ１が反射されずに、前記光経路変更層３７３を通過して前記拡散層３７１に提供される量を増加させることができる。これにより、前記第１及び第２領域Ａ、Ｂでの輝度差を最少化することができる。ここで、前記内角α３は８０°以上１８０°未満である範囲内に存在する。
【００７５】
従って、前記光経路変更層３７３は前記第１領域Ａに進行する光を前記第２領域Ｂに進行させ、前記第２領域Ｂに進行する光を正面に確実に進行させることにより、前記第１領域Ａと第２領域Ｂとの間で生じる輝度差を最少化する。
【００７６】
図１４は本発明の第６実施形態による直下型液晶表示装置の断面図であり、図１５は図１４に示した拡散板の断面図である。
【００７７】
図３、図１４及び図１５に示すように、本発明の第６実施形態によるバックライトアセンブリ３００は第１光Ｌ１を発生する一つ以上のランプ３１０と、前記第１光Ｌ１を拡散させて均一の輝度分布を有する第２光Ｌ２を射出させるための拡散板３８０と、前記第１光Ｌ１を前記拡散板３８０に反射させるためのランプ反射板３２０からなる。
【００７８】
前記拡散板３８０は前記第１光Ｌ１を拡散する拡散層３８１と、前記拡散層３８１の一面からプリズム形状に突出され、前記第１光Ｌ１の経路を変更する光経路変更層３８３からなる。前記拡散層３８１は光が入射される入射面３８１ａと、光を射出する射出面３８１ｂと、前記入射面３８１ａと射出面３８１ｂを連結する側面３８１ｃからなる。ここで、前記光経路変更層３８３は前記拡散層３８１の射出面３８１ｂ上に形成される。
【００７９】
前記光経路変更層３８３は前記射出面３８１ｂと、前記射出面３８１ｂから第１角α１で傾いた第１光経路変更面３８３ａと、前記射出面３８１ｂから第２角α２で傾いて、前記第１光経路変更面３８３ａと線接触する第２光経路変更面３８３ｂを有する複数の突出部３８３ｃとを備える。
【００８０】
前記突出部３８３ｃは前記ランプ３１０の長さ方向と平行な方向に長く延びた三角プリズム形状を有する。ここで、前記突出部３８３ｃは前記拡散層３８１の射出面３８１ｂに全面的に形成され、各々は全面にわたって同一の形状を有する。また、前記突出部３８３ｃは前記第１光経路変更面３８３ａと前記第２光経路変更面３８３ｂにより画成される一つの頂角部を有する。ここで、前記第１光経路変更面３８３ａと第２光経路変更面３８３ｂからなる内角α３は８０°以上１２０°以下である範囲内に存在する。また、前記突出部３８３ｃ各々の幅は０．６３５ｍｍ以下であることが望ましい。
【００８１】
ここで、前記突出部３８３ｃを前記ランプ３１０の長さ方向と垂直の幅方向に切断した時、前記突出部３８３ｃは射出面３８１ｂと、前記第１光経路変更面３８３ａと前記第２光経路変更面３８３ｂにより三角プリズム形状を画成する。ここで、前記突出部３８３ｃは前記第１光経路変更面３８３ａと第２光経路変更面３８３ｂの長さが同一の二等辺三角形状を有する。
【００８２】
このように、前記拡散板３８０の三角プリズム形態に形態された複数の突出部３８３ｃを有する光経路変更層３８３を備えることにより、従来のプリズムシートが実施した集光機能を前記拡散板３８０が代って達成することができる。したがって、前記プリズムシートを別途に必要としないために、前記直下型液晶表示装置１０００の全体的な厚さ及び重さを節減させることができる。
【００８３】
図１６は図１５に示した拡散板の頂角部がラウンディング処理されたことを示した断面図である。
【００８４】
図１６に示すように、拡散板３９０は拡散層３９１と、前記拡散層３９１の射出面３９１ｂ上に形成された光経路変更層３９５を備える。前記光経路変更層３９５は第１光経路変更面３９５ａと第２光経路変更面３９５ｂからなり、前記第１及び第２光経路変更面３９５ａ、３９５ｂにより画成される一つの頂角部３９５ｃを構成要素とする複数の突出部を備える。ここで、前記頂角部３９５ｃは前記第１及び第２光経路変更面３９５ａ、３９５ｂと接する領域に形成される。この例ではこの頂角部３９５ｃはラウンディング形態（即ち丸められた状態）に形成されている。
【００８５】
上述したように、前記光経路変更層３９５の頂角部３９５ｃがラウンディング形態に形成されることにより、前記拡散板３９０に加えられる外部からの衝撃を緩和させることができる。
【００８６】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【００８７】
【発明の効果】
本発明によると、光拡散部材は第１光を拡散する拡散層と、前記拡散層の一面から突出され第１光の経路を変更する光経路変更層からなる。ここで、前記光経路変更層は前記拡散層の入射面または射出面に形成されることができ、前記入射面または射出面から第１角で傾いた第１光経路変更面と、第２角に傾いた第２光経路変更面を有する一つ以上の突出部を備える。
【００８８】
したがって、光経路変更層によりランプから射出された第１光の輝度が均一になることにより、バックライトアセンブリの輝度均一性を向上させることができる。
【００８９】
また、直下型液晶表示装置は、前記バックライトアセンブリを用いることにより、表示品質を向上させることができる。
【図面の簡単な説明】
【図１】一般の直下型液晶表示装置の構造を示した断面図である。
【図２】図１に示した拡散板の背面に印刷パターンが形成された構造を示した断面図である。
【図３】本発明の第１実施形態による直下型液晶表示装置を具体的に示した分解斜視図である。
【図４】図３に示した直下型液晶表示装置の断面図である。
【図５】図３に示した拡散板を具体的に示した斜視図である。
【図６】図５に示した拡散板を拡大した断面図である。
【図７】図６に示した拡散板の光経路変更過程を示した図面である。
【図８】本発明の第２実施形態による直下型液晶表示装置の断面図である。
【図９】図８に示した拡散板を拡大した断面図である。
【図１０】本発明の第３実施形態による直下型液晶表示装置の拡散板を拡大した断面図である。
【図１１】本発明の第４実施形態による直下型液晶表示装置の拡散板を拡大した断面図である。
【図１２】本発明の第５実施形態による直下型液晶表示装置の断面図である。
【図１３】図１２に示した拡散板を拡大した断面図である。
【図１４】本発明の第６実施形態による直下型液晶表示装置の断面図である。
【図１５】図１４に示した拡散板の断面図である。
【図１６】図１５に示した拡散板の頂角部がラウンディング処理された例を示した断面図である。
【符号の説明】
２００　　液晶表示パネルアセンブリ
２１０　　液晶表示パネル
２５０　　ゲート側ＴＣＰ
３００　　バックライトアセンブリ
３１０　　ランプ
３２０　　ランプ反射板
３３０、３６０、３７０、３８０　　拡散板
３３１、３６１、３７１、３８１　　拡散層
３３３、３６３、３７３、３８３　　光経路変更層
４００　　アッパーモールドフレーム
５００　　トップシャーシ
１０００　　直下型液晶表示装置
【図１】
2004031312.tif 000003
【図２】
2004031312.tif 000004
【図３】
2004031312.tif 000005
【図４】
2004031312.tif 000006
【図５】
2004031312.tif 000007
【図６】
2004031312.tif 000008
【図７】
2004031312.tif 000009
【図８】
2004031312.tif 000010
【図９】
2004031312.tif 000011
【図１０】
2004031312.tif 000012
【図１１】
2004031312.tif 000013
【図１２】
2004031312.tif 000014
【図１３】
2004031312.tif 000015
【図１４】
2004031312.tif 000016
【図１５】
2004031312.tif 000017
【図１６】
2004031312.tif 000018